(57)【要約】  本願の実施例は、ネットワークデバイスの構成情報に応じてＰＤＣＰ層エンティティの再確立の要否を柔軟に判断することができ、ＰＤＣＰ層エンティティの再確立が不要な場合に再確立することを回避し、シグナリングオーバーヘッドを削減することができる無線通信方法及び端末デバイスを提供する。当該方法は、端末デバイスがネットワークデバイスにより送信された、当該端末デバイスに対する移動管理の構成情報を受信することと、端末デバイスが当該指示情報に基づいて、当該ＰＤＣＰ層エンティティを再確立するかどうかを決定することとを含み、当該構成情報が指示情報を含み、当該指示情報がパケットデータ収束プロトコルＰＤＣＰ層エンティティを構成するために用いられる。
2021502010.tif 000002
【特許請求の範囲】
【請求項１】
端末デバイスが、ネットワークデバイスにより送信された、前記端末デバイスに対する移動管理の構成情報を受信することと、
前記端末デバイスが指示情報に基づいて、パケットデータ収束プロトコルＰＤＣＰ層エンティティを再確立するかどうかを決定することとを含み、
前記構成情報が前記指示情報を含み、前記指示情報が前記ＰＤＣＰ層エンティティを構成するために用いられる
ことを特徴とする無線通信方法。
【請求項２】
前記指示情報が鍵情報であり、
前記端末デバイスが前記指示情報に基づいて、前記ＰＤＣＰ層エンティティを再確立するかどうかを決定することは、
現在の前記ＰＤＣＰ層エンティティの鍵情報が変更されると確定した場合、前記端末デバイスが前記ＰＤＣＰ層エンティティを再確立することを含む
ことを特徴とする請求項１に記載の無線通信方法。
【請求項３】
前記指示情報が鍵情報であり、
前記端末デバイスが前記指示情報に基づいて、前記ＰＤＣＰ層エンティティを再確立するかどうかを決定することは、
現在の前記ＰＤＣＰ層エンティティの鍵情報が変更されないと確定した場合、前記端末デバイスが前記ＰＤＣＰ層エンティティを再確立しないことを含む
ことを特徴とする請求項１に記載の無線通信方法。
【請求項４】
前記端末デバイスのアクセスする一部又は全てのネットワークノードが変更された場合、前記端末デバイスが前記ネットワークデバイスにより送信された前記構成情報を受信する
ことを特徴とする請求項１〜３のいずれか１項に記載の無線通信方法。
【請求項５】
前記方法は、さらに、
前記端末デバイスは、前記指示情報に基づいて前記ＰＤＣＰ層エンティティを再確立する場合、圧縮アルゴリズムをリセットする必要があると確定することを含む
ことを特徴とする請求項１〜４のいずれか１項に記載の無線通信方法。
【請求項６】
前記方法は、さらに、
前記端末デバイスは、前記指示情報に基づいて前記ＰＤＣＰ層エンティティを再確立する場合、暗号化復号化アルゴリズムを再構成する必要があると確定することを含む
ことを特徴とする請求項１〜４のいずれか１項に記載の無線通信方法。
【請求項７】
前記方法は、さらに、
前記端末デバイスは、前記指示情報に基づいて前記ＰＤＣＰ層エンティティを再確立する場合、プロセス変数をリセットする必要があると確定することを含む
ことを特徴とする請求項１〜４のいずれか１項に記載の無線通信方法。
【請求項８】
受信ユニットと、処理ユニットと、を備える端末デバイスであって、
前記受信ユニットは、ネットワークデバイスにより送信された、前記端末デバイスに対する移動管理の構成情報を受信するように構成され、前記構成情報が指示情報を含み、前記指示情報がパケットデータ収束プロトコルＰＤＣＰ層エンティティを構成するために用いられ、
前記処理ユニットは、前記指示情報に基づいて、前記ＰＤＣＰ層エンティティを再確立するかどうかを確定するように構成される
ことを特徴とする端末デバイス。
【請求項９】
前記指示情報が鍵情報であり、
前記処理ユニットは、現在の前記ＰＤＣＰ層エンティティの鍵情報が変更されると確定した場合、前記ＰＤＣＰ層エンティティを再確立するように構成される
ことを特徴とする請求項８に記載の端末デバイス。
【請求項１０】
前記指示情報が鍵情報であり、
前記処理ユニットは、現在の前記ＰＤＣＰ層エンティティの鍵情報が変更されないと確定した場合、前記ＰＤＣＰ層エンティティを再確立しないように構成される
ことを特徴とする請求項８に記載の端末デバイス。
【請求項１１】
前記端末デバイスのアクセスする一部又は全てのネットワークノードが変更された場合、前記受信ユニットは、前記ネットワークデバイスにより送信された前記構成情報を受信する
ことを特徴とする請求項８〜１０のいずれか１項に記載の端末デバイス。
【請求項１２】
前記処理ユニットは、さらに、前記指示情報に基づいて前記ＰＤＣＰ層エンティティを再確立する場合、圧縮アルゴリズムをリセットする必要があると確定するように構成される
ことを特徴とする請求項８〜１１のいずれか１項に記載の端末デバイス。
【請求項１３】
前記処理ユニットは、さらに、前記指示情報に基づいて前記ＰＤＣＰ層エンティティを再確立する場合、暗号化復号化アルゴリズムを再構成する必要があると確定するように構成される
ことを特徴とする請求項８〜１１のいずれか１項に記載の端末デバイス。
【請求項１４】
前記処理ユニットは、さらに、前記指示情報に基づいて前記ＰＤＣＰ層エンティティを再確立する場合、プロセス変数をリセットする必要があると確定するように構成される
ことを特徴とする請求項８〜１１のいずれか１項に記載の端末デバイス。
【発明の詳細な説明】
【技術分野】
【０００１】
本願は、通信分野に関し、具体的に、無線通信方法及び端末デバイスに関する。
【背景技術】
【０００２】
ロングタームエボリューション( Ｌｏｎｇ Ｔｅｒｍ Ｅｖｏｌｕｔｉｏｎ、ＬＴＥ )通信システムにおいて、端末デバイスが移動したり、端末デバイスがアクセスするネットワークノードが変化する(例えば、端末デバイスがアクセスするネットワークノードが、マスタノード１ ( Ｍａｓｔｅｒ Ｎｏｄｅ、ＭＮ )からＭＮ２に、ノード１ ( Ｓｌａｖｅ Ｎｏｄｅ、ＳＮ )からＳＮ２に変化する)場合、パケットデータ収束プロトコル( Ｐａｃｋｅｔ Ｄａｔａ Ｃｏｎｖｅｒｇｅｎｃｅ Ｐｒｏｔｏｃｏｌ、ＰＤＣＰ )層エンティティの物理的位置が変化するので、ＰＤＣＰ層エンティティを再確立する必要がある。
【０００３】
５Ｇ新規無線( Ｎｅｗ Ｒａｄｉｏ、ＮＲ )通信システムでは、ＰＤＣＰ層エンティティはクラウド側に配置され、すなわち、異なるネットワークノードは同じＰＤＣＰ層エンティティを有し得るので、既存のＬＴＥシステムにおけるＰＤＣＰ層エンティティの再確立メカニズムは、５Ｇシステムの要求を満たすことができない。
【発明の概要】
【０００４】
本願の実施例は、ネットワークデバイスの構成情報に応じてＰＤＣＰ層エンティティの再確立の要否を柔軟に判断することができ、ＰＤＣＰ層エンティティの再確立が不要な場合に再確立することを回避し、シグナリングオーバーヘッドを削減することができる無線通信方法及び端末デバイスを提供する。
【０００５】
第１の態様として、本願の実施例は、無線通信方法を提供し、
端末デバイスが、ネットワークデバイスにより送信された当該端末デバイスに対する移動管理の構成情報を受信することと、
当該端末デバイスが当該指示情報に基づいて、当該ＰＤＣＰ層エンティティを再確立するかどうかを確定することとを含み、
当該構成情報が指示情報を含み、当該指示情報がパケットデータ収束プロトコルＰＤＣＰ層エンティティを構成するために用いられる。
【０００６】
したがって、本願の実施例による無線通信方法は、端末デバイスがネットワークデバイスから送信されるＰＤＣＰ層エンティティを構成するための指示情報に基づいてＰＤＣ層エンティティを再確立するか否かを決定することによって、端末デバイスは、ＰＤＣＰ層エンティティを再確立する必要がある場合には再確立を行い、ＰＤＣＰ層エンティティを再確立する必要がない場合には再確立を行わないことによって、ＰＤＣＰ層エンティティを再確立する必要がない場合に再確立を行うことに起因するシグナリングオーバーヘッドを回避することができる。
【０００７】
任意選択で、第１の態様の実現可能な方式において、当該指示情報が鍵情報であり、
当該端末デバイスが当該指示情報に基づいて、当該ＰＤＣＰ層エンティティを再確立するかどうかを確定することは、
現在の当該ＰＤＣＰ層エンティティの鍵情報が変更されると確定した場合、当該端末デバイスが当該ＰＤＣＰ層エンティティを再確立することを含む。
【０００８】
したがって、本発明の実施例による無線通信方法において、ネットワークデバイスは、ＰＤＣＰ層エンティティが再確立されることを、鍵情報によって暗黙的に示すことができる。
【０００９】
任意選択で、第１の態様の実現可能な方式において、当該指示情報が鍵情報であり、
当該端末デバイスが当該指示情報に基づいて、当該ＰＤＣＰ層エンティティを再確立するかどうかを確定することは、
現在の当該ＰＤＣＰ層エンティティの鍵情報が変更されないと確定した場合、当該端末デバイスが当該ＰＤＣＰ層エンティティを再確立しないことを含む。
【００１０】
したがって、本発明の実施例による無線通信方法において、ネットワークデバイスは、ＰＤＣＰ層エンティティが再確立されないことを、鍵情報によって暗黙的に示すことができる。
【００１１】
任意選択で、第１の態様の実現可能な方式において、当該端末デバイスがアクセスする一部又は全てのネットワークノードが変更される場合、当該端末デバイスが当該ネットワークデバイスにより送信された当該構成情報を受信する。
【００１２】
そこで、本願の実施例の無線通信方法では、端末デバイスがアクセスするネットワークノードの一部または全部が変更された場合に、ネットワークデバイスが、ＰＤＣＰ層エンティティを再確立するか否かを決定するように指示情報を構成する。
【００１３】
任意選択で、第１の態様の実現可能な方式において、当該方法は、さらに、
当該端末デバイスが当該指示情報に基づいて当該ＰＤＣＰ層エンティティを再確立する場合、圧縮アルゴリズムをリセットする必要があると確定することを含む。
【００１４】
任意選択で、第１の態様の実現可能な方式において、当該方法は、さらに、
当該端末デバイスが当該指示情報に基づいて当該ＰＤＣＰ層エンティティを再確立する場合、暗号化復号化アルゴリズムを再構成する必要があると確定することを含む。
【００１５】
任意選択で、第１の態様の実現可能な方式において、当該方法は、さらに、
当該端末デバイスが当該指示情報に基づいて当該ＰＤＣＰ層エンティティを再確立する場合、プロセス変数をリセットする必要があると確定することを含む。
【００１６】
第２の態様として、本願の実施例は、第１の態様または第１の態様の任意の実施態様における方法のモジュールまたはユニットを実行することができる端末デバイスを提供する。
【００１７】
第３の態様として、プロセッサと、メモリと、通信インターフェースとを含む端末デバイスが提供される。プロセッサは、メモリおよび通信インターフェースに接続される。メモリは、命令を格納するために使用され、プロセッサは、命令を実行するために使用され、通信インターフェースは、プロセッサの制御下で他のセルと通信するために使用される。プロセッサがメモリに記憶された命令を実行すると、プロセッサに、第１の態様または第１の態様の任意の可能な実装形態における方法を実行させる。
【００１８】
第４の態様として、コンピュータに、上記の第１の態様または第１の態様の可能な実装のいずれかにおける方法を実行するための命令を指示するためのプログラムコードを記憶したコンピュータ記憶媒体を提供する。
【００１９】
第５の態様として、命令を備えるコンピュータプログラム製品を提供し、コンピュータ上で実行されると、コンピュータに、上記の態様に記載の方法を実行させる。
【図面の簡単な説明】
【００２０】
【図１】本願の実施例に応用される無線通信システムの模式図である。
【図２】本願の実施例に応用されるデュアルコネクティビティシステムアーキテクチャの概略図である。
【図３】本願の実施例における無線通信方法のフローチャートである。
【図４】本願の実施例における端末デバイスのブロック図である。
【図５】本願の実施例における無線通信デバイスのブロック図である。
【図６】本願の実施例におけるシステムチップの構成図である。
【発明を実施するための形態】
【００２１】
以下、本願の実施例における技術的解決策を、本願の実施例における添付図面と併せて、明確かつ完全に説明する。
【００２２】
本願実施例の技術的解決策は、デュアルコネクティビティ( Ｄｕａｌ Ｃｏｎｎｅｃｔｉｖｉｔｙ、ＤＣ )通信システム、例えば、ＬＴＥと５Ｇ ＮＲデュアルコネクティビティの通信システムに適用されてもよく、ＮＲ通信システムに適用されてもよい。
【００２３】
図１は、本願の実施例が適用される無線通信システム１００を示す。無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレッジを提供し得、カバレッジエリア内に配置されたＵＥなどの端末デバイスと通信し得る。任意選択で、ネットワークデバイス１１０は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載デバイス、ウェアラブルデバイス、将来の５Ｇネットワークにおけるネットワーク側デバイス、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００２４】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００２５】
図１は、１つの基地局、１つのコアネットワークデバイス、及び２つの端末デバイスを例示的に示しているが、この無線通信システム１００は、複数の基地局装置を含み、各基地局のカバレージ内に他の数の端末デバイスを含んでもよく、本発明の実施形態はこれに限定されない。
【００２６】
任意選択で、無線通信システム１００は、セッション管理機能( Ｓｅｓｓｉｏｎ Ｍａｎａｇｅｍｅｎｔ Ｆｕｎｃｔｉｏｎ、ＳＭＦ )、統合データ管理( Ｕｎｉｆｉｅｄ Ｄａｔａ Ｍａｎａｇｅｍｅｎｔ、ＵＤＭ )、認証サーバ機能( Ａｕｔｈｅｎｔｉｃａｔｉｏｎ Ｓｅｒｖｅｒ Ｆｕｎｃｔｉｏｎ、ＡＵＳＦ )などの他のネットワークエンティティをさらに含んでもよく、本願の実施例はこれに限定されない。
【００２７】
図２は、本願の実施例が適用されるデュアルコネクティビティシステムアーキテクチャの概略図を示す。図２に示すように、端末デバイスは、２つの異なる通信システムに同時に接続することができ、図２では、端末デバイスがＬＴＥとＮＲとを同時に接続する例を説明する。端末デバイスのＭＮノードは、ＬＴＥ通信ノードであり、ＬＴＥ通信をサポートするネットワークノードにアクセスしてもよく、ＮＲ通信をサポートするネットワークノードにアクセスしてもよく、端末デバイスのＳＮノードは、ＮＲ通信ノードであり、ＬＴＥ通信をサポートするネットワークノードにアクセスしてもよく、ＮＲ通信をサポートするネットワークノードにアクセスしてもよい。
【００２８】
任意選択で、ＭＮノードは、ＮＲ通信ノードであってもよく、ＬＴＥ通信をサポートするネットワークノードにアクセスしてもよく、ＮＲ通信をサポートするネットワークノードにアクセスしてもよく、端末デバイスのＳＮノードは、ＬＴＥ通信ノードであってもよく、ＬＴＥ通信をサポートするネットワークノードにアクセスしてもよく、ＮＲ通信をサポートするネットワークノードにアクセスしてもよい。
【００２９】
図２に示すように、端末デバイスは、ＭＮノードでマスタセル( Ｍａｓｔｅｒ Ｃｅｌｌ Ｇｒｏｕｐ、ＭＣＧ )ベアラ及びＭＣＧスプリットロードベアラを保持し、ＳＮノードでセカンダリセル( Ｓｌａｖｅ Ｃｅｌｌ Ｇｒｏｕｐ、ＳＣＧ )ベアラ及びＳＣＧスプリットロードベアラを保持することができる。ＭＣＧベアラがＭＮ ＰＤＣＰ１、ＭＮ無線リンク制御( Ｒａｄｉｏ Ｌｉｎｋ Ｃｏｎｔｒｏｌ、ＲＬＣ ) １、及びＭＮメディアアクセス制御( Ｍｅｄｉａ Ａｃｃｅｓｓ Ｃｏｎｔｒｏｌ、ＭＡＣ )に接続し、ＭＣＧスプリットロードベアラがＭＮ ＰＤＣＰ２、ＭＮ ＲＬＣ２、及びＭＮ ＭＡＣに接続し、ＭＣＧスプリットロードがＭＮ ＰＤＣＰ２、ＳＮ ＲＬＣ３、及びＳＮ ＭＡＣに接続し、ＭＮ ＰＤＣＰ２及びＳＮ ＲＬＣ３の間は、Ｘ２インターフェースによって接続されている。ＳＣＧベアラがＳＮ ＰＤＣＰ１、ＳＮ ＲＬＣ１、及びＳＮ ＭＡＣに接続し、ＳＣＧスプリットロードベアラがＳＮ ＰＤＣＰ２、ＳＮ ＲＬＣ２、及びＳＮ ＭＡＣに接続し、ＳＣＧスプリットロードベアラは、ＳＮ ＰＤＣＰ２、ＭＮ ＲＬＣ３、及びＭＮ ＭＡＣに接続し、ＳＮ ＰＤＣＰ２とＭＮ ＲＬＣ３との間は、Ｘ２インターフェースを介して接続されている。
【００３０】
なお、上記の図２において、ＭＮ ＰＤＣＰ１及びＭＮ ＰＤＣＰ２は、単に説明の便宜のために区別したに過ぎず、実際の配置では、図２と同様に区別する必要はなく、ＭＮ ＲＬＣ１、ＭＮ ＲＬＣ２及びＭＮ ＲＬＣ３は、同様であり、ＳＮ ＰＤＣＰ１及びＳＮ ＰＤＣＰ２は、同様であり、ＳＮ ＲＬＣ、ＳＮ ＲＬＣ２及びＳＮ ＲＬＣは、同様である。
【００３１】
任意選択で、本願の実施例において、端末デバイスがアクセスするネットワークデバイスにおいて、中央ユニット( Ｃｅｎｔｒａｌ Ｕｎｉｔ、ＣＵ )及びリモートユニット( Ｄｉｓｔｒｉｂｕｔｅｄ Ｕｎｉｔ、ＤＵ )が分離されて実現され、ＣＵ及びＤＵ分離は、ＲＬＣ層／ ＭＡＣ層／物理( Ｐｈｙｓｉｃｓ、ＰＨＹ )層エンティティをＰＤＣＰ層エンティティから分離して配置し、すなわち、ＲＬＣ層／ ＭＡＣ層／ ＰＨＹ層エンティティに対して異なるネットワークノードが異なるエンティティを有し、ＰＤＣＰ層エンティティに対して異なるネットワークノードが同じエンティティを有し、このＰＤＣＰ層エンティティがクラウド(サーバに近い側)に配置される。端末デバイスがアクセスするＭＮ及び／又はＳＮが変更される(例えば、ＭＮ１からＭＮ２に変更され、ＳＮ１からＳＮ２に変更される)と、ＰＤＣＰ層エンティティが位置する物理的位置は変更されず、ＰＤＣＰ層エンティティを再確立する必要がなく、ＲＬＣ層／ ＭＡＣ層／ ＰＨＹ層エンティティが位置する物理的位置が変更され、ＲＬＣ層／ ＭＡＣ層／ ＰＨＹ層エンティティを再確立する必要がある。
【００３２】
本発明の実施例によって提供される無線通信の方法は、ハードウェア層、ハードウェア層の上で動作するオペレーティングシステム層、およびオペレーティングシステム層の上で動作するアプリケーション層を含む端末デバイスに適用され得る。このハードウェア層は、中央処理装置( Ｃｅｎｔｒａｌ Ｐｒｏｃｅｓｓｉｎｇ Ｕｎｉｔ、ＣＰＵ )、メモリ管理ユニット( Ｍｅｍｏｒｙ Ｍａｎａｇｅｍｅｎｔ Ｕｎｉｔ、ＭＭＵ )、メモリ(主記憶ともいう)などのハードウェアを含む。このオペレーティングシステムは、プロセスを介してビジネスプロセスを実装する１つ以上のコンピュータオペレーティングシステム、例えば、Ｌｉｎｕｘオペレーティングシステム、Ｕｎｉｘオペレーティングシステム、Ａｎｄｒｏｉｄオペレーティングシステム、ｉＯＳオペレーティングシステム、又はｗｉｎｄｏｗｓオペレーティングシステム等であってよい。このアプリケーション層は、ブラウザ、アドレス帳、ワープロソフト、インスタントメッセンジャー等のアプリケーションを含む。
【００３３】
また、本開示の様々な態様または特徴は、標準的なプログラミングおよび／またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび／または他の機械可読媒体を表し得る。「機械可読媒体」という用語は、命令および／またはデータを記憶、包含、および／または担持することができる様々な媒体を含み得るが、それらに限定されない。
【００３４】
本明細書において、「システム」および「ネットワーク」という用語は、しばしば、本明細書において交換可能に使用されることが理解される。ここで、「及び／又は」とは、単に関連のある対象を記述するための関連関係の１つであり、Ａ及び／又はＢのように３つの関係が存在し得ることを意味し、Ａのみ、ＡとＢが同時に存在すること、Ｂのみが存在することの３つの場合が存在し得ることを意味する。なお、本文中の「／」の文字は、前後の関連オブジェクトが一種の「または」の関係であることを一般的に示す。
【００３５】
図３は、本発明の実施例における無線通信方法２００の概略的なフローチャートである。図３に示すように、この方法２００は、図１に示すような端末デバイスにより実行され、この端末デバイスが図２に示すようなデュアルコネクティビティシステムアーキテクチャに適用されてもよく、この方法２００におけるネットワークデバイスは、図１に示すようなネットワークデバイスであってもよく、ＣＵとＤＵの分離が実現され、図２に示すようなデュアルコネクティビティシステムアーキテクチャを有する端末デバイスと通信することができる。方法２００は、以下のことを含む。
【００３６】
２１０において、端末デバイスが、ネットワークデバイスにより送信された、当該端末デバイスに対する移動管理の構成情報を受信し、当該構成情報が指示情報を含み、当該指示情報がＰＤＣＰ層エンティティを構成するために用いられる。
【００３７】
任意選択で、ネットワークデバイスは、端末デバイスに予め構成情報を送信してもよいし、端末デバイスが存在する場所が移動した場合に、端末デバイスに構成情報を送信してもよい。
【００３８】
任意選択で、ネットワークデバイスは、端末デバイスがＰＤＰＣ層エンティティを再確立するかどうかを明示的に示し得る。任意選択で、当該指示情報は、端末デバイスがＰＤＰＣ層エンティティを再確立するか否かを直接的に示すことができる。例えば、この指示情報は、識別ビットであり、識別ビットが０の値を有する場合に前記ＰＤＣＰ層エンティティを再確立することを前記端末デバイスに指示し、前記識別ビットが１の値を有する場合に前記ＰＤＣＰ層エンティティを再確立しないことを前記端末デバイスに指示する。
【００３９】
任意選択で、このネットワークデバイスは、端末デバイスがＰＤＰＣ層エンティティを再確立するかどうかを暗黙的に示してもよい。
【００４０】
任意選択で、当該指示情報が鍵情報であり、現在の当該ＰＤＣＰ層エンティティの鍵情報が変更されると確定した場合、当該端末デバイスが当該ＰＤＣＰ層エンティティを再確立し、現在の当該ＰＤＣＰ層エンティティの鍵情報が変更されないと確定した場合、当該端末デバイスが当該ＰＤＣＰ層エンティティを再確立しない。
【００４１】
なお、ＰＤＣＰ層エンティティの各々は、固有の鍵情報を有する。
【００４２】
任意選択で、この端末デバイスは、端末デバイスがアクセスするネットワークノードの一部または全部が変更された場合に、ネットワークデバイスが送信する構成情報を受信する。
【００４３】
任意選択で、当該ネットワークデバイスは、変更後のネットワークノードが存在するネットワークデバイス、すなわち、アクセスが再度行われたネットワークノードが存在するネットワークデバイスであってもよい。
【００４４】
例えば、端末デバイスがアクセスするＳＮノードが変更( ＳＮ１からＳＮ２への切り替え)される場合、端末デバイスは、ネットワークデバイスから送信された構成情報を受信し、その構成情報中の指示情報に応じてＰＤＣＰ層エンティティを再確立するか否かを決定する。
【００４５】
ＳＮ２に対応するＳＣＧベアラのＰＤＣＰ層エンティティがクラウドに配置される場合、ＰＤＣＰ層エンティティの物理的位置は変更されず、この時点で、端末デバイスはＰＤＣＰ層エンティティを再確立しない。
【００４６】
ＳＮ２に対応するＳＣＧベアラのＰＤＣＰ層エンティティがクラウドに配置されない場合、ＰＤＣＰ層エンティティの物理的位置が変更され、この場合、端末デバイスはＰＤＣＰ層エンティティを再確立する必要がある。
【００４７】
また、例えば、端末デバイスがアクセスするＳＮが変更( ＳＮ１からＳＮ２への切り替え)した場合、端末デバイスは、ネットワークデバイスから送信された構成情報を受信し、構成情報中の指示情報に基づいてＰＤＣＰ層エンティティを再確立するか否かを決定する。
【００４８】
ＳＮ２に対応するＳＣＧベアラのＰＤＣＰ層エンティティがＭＮ側に配置されている場合、使用される鍵はＭＮ ＰＤＣＰに対する鍵であり、この時点でＳＮは変化しているが、そのＰＤＣＰ層エンティティの物理的な位置は変化しておらず、この時点で端末デバイスはＰＤＣＰ層エンティティを再確立することはない。
【００４９】
任意選択で、端末デバイスがアクセスするネットワークノードの全てが変更された場合でもよく、その場合には、ＰＤＣＰ層エンティティを再確立するか否かは、鍵情報が変更されたか否かで判断することができる。
【００５０】
２２０において、当該端末デバイスが当該指示情報に基づいて、当該ＰＤＣＰ層エンティティを再確立するかどうかを決定する。
【００５１】
任意選択で、当該端末デバイスが当該指示情報に基づいて当該ＰＤＣＰ層エンティティを再確立する場合、当該端末デバイスが圧縮アルゴリズムをリセットする必要があると確定する。
【００５２】
任意選択で、当該端末デバイスが当該指示情報に基づいて当該ＰＤＣＰ層エンティティを再確立する場合、当該端末デバイスが暗号化復号化アルゴリズムを再構成する必要があると確定する。
【００５３】
任意選択で、当該端末デバイスが当該指示情報に基づいて当該ＰＤＣＰ層エンティティを再確立する場合、当該端末デバイスがプロセス変数をリセットする必要があると確定する。
【００５４】
任意選択で、当該ＰＤＣＰ層エンティティを再確立する場合、当該端末デバイスは、圧縮アルゴリズムをリセットすること、暗号化復号化アルゴリズムを再構成すること、プロセス変数をリセットすることのうちの１つを決定する。
【００５５】
任意選択で、ＰＤＣＰ層エンティティを再確立し、端末デバイスが、圧縮アルゴリズム、暗号化復号化アルゴリズム、及びプロセス変数のリセットを同時に実行する必要があると判断した場合、圧縮アルゴリズム、暗号化復号化アルゴリズム、及びプロセス変数のリセットは、前後の実行順番がなく、圧縮アルゴリズムのリセットが先に実行しても良いし、暗号化復号化アルゴリズムのリセットが先に実行しても良いし、プロセス変数のリセットが先に実行しても良いが、この実施例がこれに限定しない。
【００５６】
任意選択で、ＰＤＣＰ層エンティティを再確立し、端末デバイスが、圧縮アルゴリズム、暗号化復号化アルゴリズム、及びプロセス変数のリセットのうちの２つを同時に実行する必要があると判断した場合、その前後の実行順番がない。
【００５７】
したがって、本発明の実施例による無線通信方法は、端末デバイスがネットワークデバイスから送信されるＰＤＣＰ層エンティティを構成するための指示情報に基づいてＰＤＣＰ層エンティティを再確立するか否かを決定することによって、端末デバイスは、ＰＤＣＰ層エンティティを再確立する必要がある場合には再確立を行い、ＰＤＣＰ層エンティティを再確立する必要がない場合には再確立を行わないことによって、ＰＤＣＰ層エンティティを再確立する必要がない場合に再確立を行うことに起因するシグナリングオーバーヘッドを回避することができる。
【００５８】
さらに、端末デバイスがアクセスするネットワークノードの一部または全部が変更された場合に、ネットワークデバイスは、指示情報を構成することで、ＰＤＣＰ層エンティティを再確立するか否かを端末デバイスに指示する。
【００５９】
図４は本願の実施例における端末デバイス３００のブロック図である。図４に示すように、当該端末デバイス３００は、受信ユニット３１０及び処理ユニット３２０を含む。
【００６０】
受信ユニット３１０は、ネットワークデバイスにより送信された、当該端末デバイスに対する移動管理の構成情報を受信するように構成され、当該構成情報が指示情報を含み、当該指示情報がパケットデータ収束プロトコルＰＤＣＰ層エンティティを構成するために用いられ、
処理ユニット３２０は、当該指示情報に基づいて、当該ＰＤＣＰ層エンティティを再確立するかどうかを決定するように構成される。
【００６１】
任意選択で、当該指示情報が鍵情報であり、
当該処理ユニット３２０は、具体的に、
現在の当該ＰＤＣＰ層エンティティの鍵情報が変更される場合、当該ＰＤＣＰ層エンティティを再確立するように構成される。
【００６２】
任意選択で、当該指示情報が鍵情報であり、
当該処理ユニット３２０は、具体的に
現在の当該ＰＤＣＰ層エンティティの鍵情報が変更されない場合、当該ＰＤＣＰ層エンティティを再確立しないように構成される。
【００６３】
任意選択で、当該端末デバイスがアクセスする一部又は全てのネットワークノードが変更される場合、当該受信ユニット３１０が当該ネットワークデバイスからの当該構成情報を受信する。
【００６４】
任意選択で、当該処理ユニット３２０は、さらに、当該指示情報に基づいて当該ＰＤＣＰ層エンティティを再確立する場合、圧縮アルゴリズムをリセットする必要があると確定するように構成される。
【００６５】
任意選択で、当該処理ユニット３２０は、さらに、当該指示情報に基づいて当該ＰＤＣＰ層エンティティを再確立する場合、暗号化復号化アルゴリズムを再構成する必要があると確定するように構成される。
【００６６】
任意選択で、当該処理ユニット３２０は、さらに、当該指示情報に基づいて当該ＰＤＣＰ層エンティティを再確立する場合、プロセス変数をリセットする必要があると確定するように構成される。
【００６７】
なお、本発明の実施例による端末デバイス３００は、本願の方法２００における端末デバイスに対応することができ、端末デバイス３００の各部の上記及びその他の動作及び／又は機能は、それぞれ、図３に示す方法２００における端末デバイスの対応するフローを実施するために、簡潔のために、ここでは説明を省略する。
【００６８】
図５は、本願の実施例によって提供される無線通信デバイス４００の概略ブロック図を示し、デバイス４００は、
コードを含むプログラムを記憶するためのメモリ４１０と、 
他の装置と通信するための送受信機４２０と、 
メモリ４１０内のプログラムコードを実行するために使用されるプロセッサ４３０と、備える。
【００６９】
任意選択で、コードが実行されると、このプロセッサ４３０は、図３の方法２００において端末デバイスによって実行される様々な動作を実施してもよく、簡潔のためにここでは詳しい説明を省略する。この場合、デバイス４００は、端末デバイス(例えば、携帯電話)であってもよい。送受信機４２０は、プロセッサ４３０の駆動の下で特定の信号の送受信を実行するために使用される。
【００７０】
なお、プロセッサ４３０は、本願の実施形態において、中央処理装置( Ｃｅｎｔｒａｌ Ｐｒｏｃｅｓｓｉｎｇ Ｕｎｉｔ、ＣＰＵ )であってもよく、他の汎用プロセッサ、デジタル信号プロセッサ( ＤＳＰ )、特定用途向け集積回路( ＡＳＩＣ ）、既製プログラマブルゲートアレイ( ＦＰＧＡ )又は他のプログラマブル論理デバイス、個別ゲート又はトランジスタ論理デバイス、個別ハードウェア構成要素等であってもよいことが理解されるべきである。汎用プロセッサはマイクロプロセッサであってもよく、プロセッサは任意の従来のプロセッサなどであってもよい。
【００７１】
メモリ４１０は、読み出し専用メモリおよびランダムアクセスメモリを含み得、プロセッサ４３０に命令およびデータを提供し得る。メモリ４１０の一部は、不揮発性ランダムアクセスメモリも含み得る。例えば、メモリ４１０は、デバイスタイプの情報をさらに記憶してもよい。
【００７２】
送受信機４２０は、周波数変調および復調機能またはアップコンバートおよびダウンコンバート機能などの信号送信および受信機能を実装するために使用され得る。
【００７３】
実装プロセスにおいて、方法の少なくとも１つのステップは、プロセッサ４３０内のハードウェアの集積論理回路によって達成されてもよく、または、集積論理回路は、ソフトウェアの形態の命令駆動下で少なくとも１つのステップを実施してもよい。したがって、無線通信デバイス４００は、チップまたはチップセットであってもよい。本願の実施形態に関連して開示される方法のステップは、ハードウェアプロセッサによる実行として直接的に、またはプロセッサ内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリに位置し、プロセッサ４３０はメモリ内の情報を読み出し、ハードウェアとともに上述した方法のステップを実行する。重複を避けるため、ここでは詳細な説明は省略する。
【００７４】
図６は、本発明の実施例に係るシステムチップ５００の概略構成図である。図６のシステムチップ５００は、入力インターフェース５０１、出力インターフェース５０２、メモリ５０４内のコードを実行するプロセッサ５０３、及びメモリ５０４を含み、それらが内部通信接続線を介して接続することができる。
【００７５】
任意選択で、コードが実行されると、プロセッサ５０３は、方法の実施形態において端末デバイスによって実行される方法を実施する。簡潔にするために、ここでは説明を省略する。
【００７６】
当業者は、本明細書に開示される実施形態に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【００７７】
当業者であれば、説明の便宜及び簡潔にするために、上記に説明されたシステム、装置及びユニットの特定の動作プロセスが、前述の方法の実施形態における対応するプロセスを参照してよく、ここでその説明が省略されることを理解するであろう。
【００７８】
本明細書で提供されるいくつかの実施形態では、開示されるシステム、装置、および方法は、他の方法で実現されてもよいことが理解されるべきである。例えば、上記の装置の実施形態は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【００７９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施形態の目的は、必要に応じて各部の一部又は全部を選択して実施することができる。
【００８０】
また、本発明の各実施例における各機能部は、１つの処理部に集積されてもよいし、各部は、物理的に別個に存在してもよいし、２つ以上の部が１つの部に集積されてもよい。
【００８１】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施形態に記載された方法のステップの全てまたは一部を実行させるための複数の命令を含む１つの記憶媒体に記憶されたソフトウェア製品の形態で具現化され得る。なお、前記記憶媒体としては、Ｕ字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【００８２】
以上、本発明の具体的な実施形態を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021502010.tif 000003
【図２】
2021502010.tif 000004
【図３】
2021502010.tif 000005
【図４】
2021502010.tif 000006
【図５】
2021502010.tif 000007
【図６】
2021502010.tif 000008
【国際調査報告】
2021502010.tif 000009
2021502010.tif 000010
2021502010.tif 000011
2021502010.tif 000012